(57)【要約】【課題】防犯効果が絶大である扉用錠箱を提供すること。第１プレートを破壊して硬い防御部品まで到達しても、切削工具の刃先が、いわゆる食い付き難くなり（俗に、刃先が逃げること）。【解決手段】デッドボルトの戻しを防止するために、防御プレートに収納部を形成し、該収納部に切削工具の刃先が滑る断面円形の硬い防御部品を複数個並列状態に充填し、該防御プレートを錠箱のシリンダーが装着される側の幅広側壁に固定したことを特徴とする扉用錠箱。【選択図】  図１
2004353349.tif 000002
【特許請求の範囲】
【請求項１】
デッドボルトの戻しを防止するために、防御プレートに収納部を形成し、該収納部に切削工具の刃先が滑る断面円形の硬い防御部品を複数個並列状態に充填し、該防御プレートを、少なくとも錠箱のシリンダーが装着される側の幅広側壁に固定したことを特徴とする扉用錠箱。
【請求項２】
請求項１に於いて、硬い防御部品は、超硬合金としての超硬ピンであることを特徴とする扉用錠箱。
【請求項３】
請求項１に於いて、硬い防御部品は、炭素鋼を焼き入れ処理して形成された棒状体であることを特徴とする扉用錠箱。
【請求項４】
デッドボルトの戻しを防止するために、防御プレートを錠箱のシリンダーが装着される側の幅広側壁に固定し、該防御プレートは、外側の第１プレートと、シリンダーが装着される側の幅広側壁に固定される第２プレートと、前記第１プレートと第２プレートとの間に介在する第３プレートとから成り、前記第３プレートの少なくともデッドボルトを基準とする所要範囲の部位に収納部を形成し、該収納部に切削工具の刃先が滑る断面円形の硬い防御部品を複数個並列状態に充填したことを特徴とする扉用錠箱。
【請求項５】
請求項４に於いて、第３プレートは第１プレートと第２プレートにサンドイッチ状に挟持されており、また第３プレートの収納部は開口であって、この開口内の硬い防御部品は、超硬合金としての超硬ピン或いは炭素鋼を焼き入れ処理して形成された棒状体であることを特徴とする扉用錠箱。
【請求項６】
請求項４に於いて、少なくとも外側に位置する第１プレートは、炭素鋼を焼き入れ処理して形成されていることを特徴とする扉用錠箱。
【請求項７】
デッドボルトの戻しを防止するために、コ字型状の防御プレートの対向側壁の少なくとも一側壁に収納部を形成し、該収納部に切削工具の刃先が滑る断面円形の硬い防御部品を複数個並列状態に充填し、該防御プレートを、前記硬い防御部品を有する一側壁が錠箱のシリンダーが装着される幅広側壁に添設状態になるように錠箱に固定的に嵌め込んだことを特徴とする扉用錠箱。
【請求項８】
デッドボルトの戻しを防止するために、二枚構造から成る防御プレートに収納部を形成し、該収納部に切削工具の刃先が滑る断面円形の硬い防御部品を複数個並列状態に充填し、該防御プレートを錠箱のシリンダーが装着される幅広側壁に固定したことを特徴とする扉用錠箱。
【請求項９】
請求項８に於いて、防御プレートは、第１プレートと、この第１プレートよりも肉厚があり、かつ、所要箇所に横向き凹所状の収納部を有する第２プレートとから成ることを特徴とする扉用錠箱。
【発明の詳細な説明】
【０００１】
【発明の属する技術分野】
本発明は扉用錠箱に関し、特に泥棒が超硬ドリル、超硬ホールソーなどの切削工具を使用して錠箱を破壊する場合に有効な扉用錠箱に関する。
【０００２】
【従来の技術】
従来の一例として特開２００３−１２００８３公報を記載する。この公報に記載の錠構造は、泥棒が挟み部を有するプライヤーを用い、化粧リングと共に、固定筒及びシリンダー錠を無理やり「もぎ取る」ことを防止している。
【０００３】
しかしながら、近年、泥棒の手口が悪化し、超硬ドリル、超硬ホールソーなどの切削工具を用い、シリンダーの外筒体の周縁部、扉の所要箇所、錠箱の施・解錠機構をカバーする幅広側壁等にそれぞれ攻撃を加えて適当な孔を開け、かつ、該孔を利用して七つ道具を操作し、デッドカム（通称、ダルマ）の駆動腕を解錠方向へと回転させる「カム送り」事件が発生している。
【０００４】
そこで、このような「カム送り」ケースの場合には、シリンダーのもぎ取り対策のみでは必ずしも万全ではなく、もっと、別の観点から錠前を保護する対策を講じる必要がある。
【０００５】
【発明が解決しようとする課題】
本発明の第１の目的は、泥棒が超硬ドリル、超硬ホールソーを用いて扉の外壁面に穴を開けて錠前を攻撃してきた場合にも防御し得る錠箱を提供することである。これにより、「カム送り」を防御することができる。第２の目的は、既存の錠箱をそのまま用いることができることである。
【０００６】
【課題を解決するための手段】
本発明の扉用錠箱は、デッドボルトの戻しを防止するために、防御プレートに収納部を形成し、該収納部に切削工具の刃先が滑る断面円形の硬い防御部品を複数個並列状態に充填し、該防御プレートを、少なくとも錠箱のシリンダーが装着される側の幅広側壁に固定したことを特徴とする。
【０００７】
また、本発明の扉用錠箱は、デッドボルトの戻しを防止するために、防御プレートを錠箱のシリンダーが装着される側の幅広側壁に固定し、該防御プレートは、外側の第１プレートと、シリンダーが装着される側の幅広側壁に固定される第２プレートと、前記第１プレートと第２プレートとの間に介在する第３プレートとから成り、前記第３プレートの少なくともデッドボルトを基準とする所要範囲の部位に収納部を形成し、該収納部に切削工具の刃先が滑る断面円形の硬い防御部品を複数個並列状態に充填したことを特徴とする。
【０００８】
また、本発明の扉用錠箱は、デッドボルトの戻しを防止するために、コ字型状の防御プレートの対向側壁の少なくとも一側壁に収納部を形成し、該収納部に切削工具の刃先が滑る断面円形の硬い防御部品を複数個並列状態に充填し、該防御プレートを、前記硬い防御部品を有する一側壁が錠箱のシリンダーが装着される幅広側壁に添設状態になるように錠箱に固定的に嵌め込んだことを特徴とする。
【０００９】
さらに、本発明の扉用錠箱は、デッドボルトの戻しを防止するために、二枚構造から成る防御プレートに収納部を形成し、該収納部に切削工具の刃先が滑る断面円形の硬い防御部品を複数個並列状態に充填し、該防御プレートを錠箱のシリンダーが装着される幅広側壁に固定したことを特徴とする。
【００１０】
【発明の実施の形態】
まず、図１及び図５を参照にして本発明の実施の形態について説明する。１は錠箱で、この錠箱１はケース身２と、このケース身に固着手段を介して結合するケース蓋３とから成る。前記ケース身２は、縦長状の取り付け板４、この取り付け板４の内壁面に固定された比較的短い介在板５、取り付け板４の外壁面に固定されるフロント６をそれぞれ有する。フロント６、介在板５、取り付け板４をそれぞれ固着する固着具や錠前の施錠機構は本発明に直接関係のないので割愛している。
【００１１】
７は取り付け板４並びにフロント６から出入りできるように錠箱１に横設されたデッドボルトで、このデッドボルト７は、窓部８、ガイド軸９などに案内される。デッドボルト７は、図示しないストライクと係合する先端部、前記ガイド軸９と係合する水平長孔を有する中間部、デッドカム（通称、ダルマ）１０と係合する後端部などを有する。
【００１２】
１１はケース身２に固定的に設けられた複数本のメネジの支柱で、これらのメネジ支柱１１には、複数個の固着具がそれぞれ螺合する。
１２はケース身２並びにケース蓋３の内壁面にそれぞれカシメ固定された受け座（ケース身２側の受け座は図示を省略）で、これらの受け座１２の中央部には、円形の嵌合孔を有する嵌合部が突出形成されている。
【００１３】
しかして、前記受け座２１（ケース身の受け座も含む）の嵌合孔には、前述したデッドカム１０の筒状係合部が回動可能に嵌合する。デッドカム１０は筒状係合部から半径方向に延びる駆動腕１３を有しており、該駆動腕１３は前述したデッドボルト７の後端部に係合している。デッドカム７は、合鍵の操作によって作動するシリンダーまたはサムターンの駆動力により回転する。これによりデッドボルト７は出没する。
【００１４】
ここで、図１を参照にしてケース身２の幅広側壁に形成されたシリンダー用嵌合孔１５について説明する。普通一般に、錠箱１のケース身２及びケース蓋３の幅広側壁１４の隅角部には、シリンダー用嵌合孔１５とサムターン用の嵌合孔（図示しない）がそれぞれ形成されている。これらの嵌合孔は、外観上、「ちょうちん」の輪郭形状に形成され、ケース身２側の嵌合孔１５には、シリンダー１６の外筒端部が装着する。
【００１５】
ところで、シリンダー１６は、合鍵を操作すると、デッドカム１０の駆動腕１３が、図１の矢印方向（時計方向）に回転するから、デッドボルト７が矢印方向（施錠方向）へと突出する。
したがって、合鍵がない場合に於いて、泥棒が図示しない切削工具を用い、扉の所要箇所及び錠箱１の幅広側壁１４にそれぞれ攻撃を加えて孔を開け、かつ、七つ道具（針金等）を操作して前記駆動腕１３を矢印とは逆方向（反時計方向）へ回転させる恐れが十分にある。
【００１６】
そこで、本発明は、デッドボルト７の戻し（解錠方向への移動）を防止するために、図１で示すような防御プレート２１に収納部２２を形成し、該収納部２２に切削工具の刃先が滑る断面円形の硬い防御部品２３を複数個並列状態に充填し、該防御プレート２１を錠箱１のシリンダーが装着される側の幅広側壁１４に固定した。
【００１７】
次に、防御プレート２１の具体的構成を説明する。図２は本発明の防御プレート２１の分解図である。図３及び図４は、防御プレート２１の内部構造を錠箱１との関係で示す。
【００１８】
第１実施例の防御プレート２１は、これらの図から明らかなように、４つの構成部材からなる。すなわち、該防御プレート２１は、図２の手前側の第１プレート２５と、向こう側の第２プレート２６と、前記第１プレート２５と第２プレート２６との間に介在する中間の第３プレート２７とから成り、前記第３プレート２７の少なくともデッドボルト７を基準とする所要範囲の部位には、角形、丸形等の任意形状の収納部２２が形成されている。
【００１９】
しかして、前記収納部２２は、本実施例では、錠箱１のシリンダー用嵌合孔１５に対応するプレート嵌合孔（これを便宜上、「第３嵌合孔２９」という）の付近が段差状になっている矩形状開口であって、該矩形状開口２２内に、例えば炭素鋼を焼き入れ処理して形成された多数の棒状体２３が並列状態に収納される。つまり、多数の棒状体２３が、本発明の「硬い防御部品」の一例に相当する。
【００２０】
多数の棒状体２３は、図２で示すように、長短の細長いピン状棒状体２３である。棒状体２３長さは、矩形状開口２２の幅寸法に対応して短いものから長いものまで色々とある。各棒状体２３の断面形状は、図３で示すように円形（真円）である。
【００２１】
また各棒状体２３の直径は、第３プレート２７の肉厚に対応して第１プレート２５または／及び第２プレート２６の肉厚よりも大きい。本実施例では第３プレート２７の厚みは、第１プレート２５又は第２プレート２６の厚みの「２倍」或いは「３倍」であることから、棒状体２３の直径は、第１プレート２５又は第２プレート２６の厚みの「２倍」或いは「３倍」である。
【００２２】
ところで、泥棒が使う超硬ドリル、超硬ホールソーなどの切削工具の刃先は、タングステンＷと炭素Ｃのそれぞれの粉末を一定の割合で混合、化合、加圧成形等を施して作られる超硬合金であることから、本発明の「硬い防御部品２３」は、超硬合金としての超硬ピンを採用している。
【００２３】
また、前記第１プレート２５及び第２プレート２６の隅角部にも、前述した第３嵌合孔２９に相当する第１嵌合孔３０、第２嵌合孔３１がそれぞれ形成されている。さらに、第１乃至第３プレート２５．２６．２７の適宜箇所には、固定手段（カシメ、固着具）用の貫通小孔３３が所定間隔を有して複数個形成されている。
【００２４】
防御プレート２１に関して、さらに説明する。図３で示すように、収納部としての開口２２を有する第３プレート２７は、外から見える第１プレート２５とケース身の幅広側壁１４に直接固定される第２プレート２６にサンドイッチ状に挟着されている。
【００２５】
また、前記開口２２に収納された硬い防御部品２３は、炭素鋼を焼き入れ処理して形成された棒状体、或いは超硬合金としての超硬ピンであるが、少なくとも外側に位置する前記第１プレート２５は、その肉厚の関係も含め、超硬ドリル、超硬ホールソーなどの切削工具に対して防御が十分でないものの、炭素鋼を焼き入れ処理して形成されている。
【００２６】
しかして、前記防御プレート２１は、少なくともデッドボルトの戻し（カム送り）を防止するために、錠箱１のシリンダー１６が装着される幅広側壁１４に固定されている。
【００２７】
【実施例】
第１実施例の防御プレート２１に於いて、サンドイッチ状に挟まれた第３プレート２７の収納部（開口）２２は、角形、丸形のいずれでも良い。収納部（開口）２２には、間隙が生じないよう硬い防御部品２３が充填されている。硬い防御部品２３は水平状態に配設されているが、垂直状態、或いは傾斜状態に配設しても良い。また硬い防御部品２３は長い棒状体であるが、短い棒状体、或いはパチンコ玉のような球体であっても良い。
【００２８】
次に、この欄では、図６及び図７に示す第２実施例と、図８及び図９に示す第３実施例を説明する。なお、これらの各実施例は前記第１実施例の錠箱１と技術的思想が同一なので、同一の部分には同一または同様の符号を付して重複する説明を省略する。
【００２９】
図６及び図７に示す第２実施例に於いて、前記第１実施例と主に異なる点は、デッドボルトの戻しを防止するために、コ字型状の防御プレート２１Ａの対向側壁４０．４１の少なくとも一側壁４０に収納部２８Ａを形成し、該収納部２８Ａに切削工具の刃先が滑る断面円形の硬い防御部品２３を複数個並列状態に充填し、該防御プレート２１Ａを、前記硬い防御部品２３を有する一側壁４０が錠箱１のシリンダー１６が装着される側の幅広側壁１４に添設状態になるように錠箱に固定的に嵌め込んだことである。
【００３０】
しかして、この第２実施例では、図７で示すように、シリンダー１６が装着する錠箱１の幅広側壁１４にフイット状態に添設する一側壁４０と、サムターン１７が装着する錠箱１の幅広側壁１８にフイット状態に添設する他側壁４１の両方に前記収納部２８Ａ．２８Ａをそれぞれ形成し、これらの収納部２８Ａ．２８Ａに硬い防御部品２３の一例としての複数個の棒状体を、隙間なく、かつ、並列状態に充填している。なお、符号１９は錠箱１の上壁、４２は上壁と面接合する防御プレート２１Ａの中央壁である。
【００３１】
図７を基準にすると、防御プレート２１Ａの中央壁４２は上壁に相当するが、端面或いは断面コ字型状の防御プレート２１Ａは、錠箱１の底壁（下部側）や後壁（側部側）からも嵌め込むタイプに形成することができるから、そのような場合のコ字型状防御プレート２１Ａの前記上壁４２は、下壁或いは後壁に相当する。このように構成しても、第１実施例と同一の目的を達成することができる。
【００３２】
図８及び図９に示す第３実施例に於いて、前記第１実施例と主に異なる点は、第１実施例の防御プレート２１では、プレートが第１プレート乃至第３プレートの三層構造であるが、これを一部設計変更し、二枚構造から成る防御プレート２１Ｂにしている。
【００３３】
すなわち、防御プレート２１Ｂは、第１プレート２５Ｂと、この第１プレート２５Ｂよりも肉厚（例えば３倍の厚さ）があり、かつ、所要箇所に横向き凹所状の収納部２８Ｂを有する第２プレート２６Ｂとから成り、収納部２８Ｂに切削工具の刃先が滑る断面円形の硬い防御部品２３を複数個並列状態に充填し、該防御プレート２１Ｂを、少なくとも錠箱１のシリンダーが装着される側の幅広側壁１４に固定している。
【００３４】
前記収納部２８Ｂは、デッドボルトを基準とする所要範囲の部位に形成されているが、第２プレート２６Ｂに全体的に形成しても良い。このように構成しても、第１実施例と同一の目的を達成することができる。
なお、本発明の防御プレートの各プレートに関して、三層構造、二層構造のものをそれぞれ示したが、もちろん、一枚のプレートを適宜に折り曲げ、対向する一側壁に硬い防御部品を収納することができる空間部を形成しても均等の範囲内である。
【００３５】
また、防御プレートには、第１乃至第３嵌合孔３０．３１．２９がそれぞれ形成されているが、これらの孔は防御プレートの形状を適宜に設計変更（例えば嵌合孔の部分を弧状にカット）することができるから、本発明の本質的部分ではない。また。貫通小孔３３も固定手段（例えば溶着）如何によっては不要である。
【００３６】
【発明の効果】
以上の説明から明らかなように、本発明にあっては、デッドボルトの戻しを防止するために、防御プレートに収納部を形成し、該収納部に切削工具の刃先が滑る断面円形の硬い防御部品を複数個並列状態に充填し、該防御プレートを錠箱のシリンダーが装着される側の幅広側壁に固定したので、防犯効果が絶大である。
【００３７】
すなわち、本発明の錠箱の防御プレートでは、デッドボルトを基準とする所要範囲の部位に収納部を形成し、該収納部に切削工具の刃先が滑る断面円形の硬い防御部品を複数個並列状態に充填したので、泥棒が切削工具にて扉に孔を開け、その孔より解錠工具（針金など）を用いて施・解錠用のデッドカムを操作しようとしても、防御プレートの硬い防御部品に阻まれるから、「カム送り」を実現することはきわめて困難である。
【００３８】
このことを敷衍すれば、硬い防御部品の断面形状が切削工具の刃先が滑る円形に形成されていること、また複数個の硬い防御部品がプレートの収納部に並列状態に設けられていることから、第１プレートを破壊して硬い防御部品まで到達しても、切削工具の刃先が、いわゆる食い付き難くなり（俗に、刃先が逃げること）、その分破壊行為に時間を要するから、防犯効果が絶大である。なお、本発明にあっては、既存の錠箱をそのまま用いることができる。
【図面の簡単な説明】
図１乃至図５は本発明の第１実施例。図６及び図７は本発明の第２実施例。図８及び図９は本発明の第３実施例。
【図１】本発明の実施の形態を示す概略説明図。
【図２】防御プレートを説明するための分解図。
【図３】錠箱の幅広側壁と防御プレートとの関係を示す説明図。
【図４】錠箱と防御プレートとの関係を示す説明図。
【図５】本発明の実施の形態を示す概略説明図（錠箱の後壁側からシリンダーとの関係を示した説明図。サムターン派省略してある。）。
【図６】本発明の第２実施例を示す縦断面の概略説明図。
【図７】第２実施例の実施の形態を示す概略説明図。
【図８】本発明の第３実施例の図３と同様の説明図。
【図９】第３実施例の図４と同様の説明図。
【符号の説明】
１…錠箱、２…ケース身、３…ケース蓋、７…デッドボルト、１３…駆動腕、１４…幅広側壁、１５…シリンダー用嵌合孔、１６…シリンダー、１７…サムターン、１８…他側壁、１９…錠箱の上壁、２１．２１Ａ．２１Ｂ…防御プレート、２２．２８Ａ．２８Ｂ…収納部、２３…硬い防御部品、２５．２５Ｂ…第１プレート、２６．２６Ｂ…第２プレート、２７…第３プレート、２９…第３嵌合孔、３０…第１嵌合孔、３１…第２嵌合孔、４０．４１…対向側壁。
【図１】
2004353349.tif 000003
【図２】
2004353349.tif 000004
【図３】
2004353349.tif 000005
【図４】
2004353349.tif 000006
【図５】
2004353349.tif 000007
【図６】
2004353349.tif 000008
【図７】
2004353349.tif 000009
【図８】
2004353349.tif 000010
【図９】
2004353349.tif 000011